(57)【要約】      （修正有）【課題】車両等に載せて運搬するために、極めて簡単な作業でコンパクトに畳むことができ、かつ、簡単な操作で使用状態にすることができる折りたたみコーンを提供する。【解決手段】軸方向に移動自在な支柱２０と、支柱２０の上部周囲に支柱２０に対して移動自在に設置した固定部２１と、固定部２１に回動自在に固定されている複数の第一補助柱３０と、支柱２０の下端に回動自在に固定されている複数の第二補助柱４０を備え、第一補助柱３０と第二補助柱４０は、第一補助柱３０の下端が第二補助柱４０の中央付近で回動自在に固定されていることを特徴とする折りたたみコーン１０とする。【選択図】図１
0003197936.tif 000002
【実用新案登録請求の範囲】
【請求項１】
軸方向に移動自在な支柱と、
前記支柱の上部周囲に前記支柱に対して移動自在に設置した固定部と、
前記固定部に回動自在に固定されている複数の第一補助柱と、
前記支柱の下端に回動自在に固定されている複数の第二補助柱を備え、
前記第一補助柱と前記第二補助柱は、前記第一補助柱の下端が前記第二補助柱の中央付近で回動自在に固定されていることを特徴とする折りたたみコーン。
【請求項２】
前記第二補助柱は、引張りアームと下部パイプとからなり
前記引張りアームは、前記支柱の下端に回動自在に固定されており、
前記下部パイプは、前記第一補助柱の下端、及び前記引張りアームの中央付近に回動自在に固定されていることを特徴とする請求項１に記載の折りたたみコーン。
【請求項３】
前記支柱の上にはＬＥＤが設置されていることを特徴とする請求項１または請求項２に記載の折りたたみコーン。
【考案の詳細な説明】
【技術分野】
【０００１】  本考案は、道路や工事現場等の規制や区分けを目的として置かれる円錐形のロード用コーン（パイロンとも言う）であって、簡単に畳むことができるロード用コーンに関する。さらに言えば、道路や工事現場等で使用しない際は、極めて簡単な作業でコンパクトに畳むことのできる折りたたみコーンに関する。
【背景技術】
【０００２】  ロード用コーンは、道路や工事現場等の規制や区分けの他、イベントやお祭りでの人の流れの整理、スポーツ競技での目印や選手の誘導、駐車場の整理や誘導、予約場所の確保、自動車教習所での練習用等にも使用されている。円錐の高さが４５ｃｍ〜７０ｃｍ程度のものが多いが、中には、マラソン競技の折り返し地点や高速道路の工事規制開始箇所に使用される円錐の高さが２ｍを超える巨大なものもある。【０００３】  道路や工事現場等に設置するため、複数のロード用コーン（特に２ｍを超える巨大なもの）を一度に車両等に載せて運搬する際は、あまりにも大き過ぎて嵩張ってしまい、普通の大きさのロード用コーンのように縦に積み重ねたとしても、車両の荷台に収納し切れず、複数のロード用コーンを一度に運ぶことが困難であった。このため、コンパクトに畳んで運搬できるようなロード用コーンが望まれていた。【０００４】  関連する技術として、特許文献１の如く、「ほぼ中心に円筒状のホルダー（１３）を有するベース板（１０）と、前記ベース板のホルダーに挿入される柱状の支柱（１）と、前記支柱の外周をスライドするスライド筒（８）と、前記スライド筒に固定されたスライドリング（２），連動スリーブ（５）と、前記のスライドリングおよび連動スリーブに一端が回転自在に取り付けられ、他端が開閉ロッド（６）に回転可能に取り付けられた連結ロッド（３），（４）と、前記開閉ロッドの外周を覆うスカート（１２）とを備え、かつ前記支柱にスライド筒の移動をロックするロック（９）を設けたことを特徴とする折り畳み式カラーコーン（特許文献１：請求項１）。」が開示されていた。
【先行技術文献】
【特許文献】
【０００５】
【特許文献１】実開平５−３８０１７号公報
【考案の概要】
【考案が解決しようとする課題】
【０００６】  特許文献１に係る折り畳み式カラーコーンは、「使用にあたっては、作業者は先ず、ベース板１０を標識設置場所に置く。つぎに、標識部を形成する。（イ）スライドリング２を押し上げることにより、スライド筒８を介して連動スリーブ５も同様に移動する。（ロ）スライドリング２と連動スリーブ５に連結された連結ロッド３，４が外方に向いて開き、開閉ロッド６を開く。（ハ）開閉ロッド６が開くことにより、開閉ロッドに縫製されている標識シート７も同様に開いて標識部が完成する。（ニ）ベース板１０に支柱９を差し込むことにより標識装置が完成する（特許文献１：段落０００７）。」というように組み立てが煩雑であり、手間が掛かる上、作業性が悪かった。【０００７】  本考案の目的は、道路や工事現場等に設置するためのロード用コーン（特に、２ｍを超える巨大なロード用コーン）において、車両等に載せて運搬するために、極めて簡単な作業でコンパクトに畳むことができ、かつ、簡単な操作で使用状態にすることができる折りたたみコーンを提供することにある。
【課題を解決するための手段】
【０００８】  上記課題を解決するために、請求項１に記載した考案は、軸方向に移動自在な支柱と、前記支柱の上部周囲に前記支柱に対して移動自在に設置した固定部と、前記固定部に回動自在に固定されている複数の第一補助柱と、前記支柱の下端に回動自在に固定されている複数の第二補助柱を備え、前記第一補助柱と前記第二補助柱は、前記第一補助柱の下端が前記第二補助柱の中央付近で回動自在に固定されていることを特徴とする折りたたみコーンであることを特徴とするものである。【０００９】  請求項２に記載した考案は、請求項１に記載した考案において、前記第二補助柱は、引張りアームと下部パイプとからなり、前記引張りアームは、前記支柱の下端に回動自在に固定されており、前記下部パイプは、前記第一補助柱の下端、及び前記引張りアームの中央付近に回動自在に固定されている折りたたみコーンであることを特徴とするものである。【００１０】  請求項３に記載した考案は、請求項１または請求項２に記載した考案において、前記支柱の上端にはＬＥＤが設置されている折りたたみコーンであることを特徴とするものである。
【考案の効果】
【００１１】  本考案によれば、支柱を軸方向に移動させる程度の簡単な操作だけで、傘を開閉するように畳むことができ、かつ、使用状態にすることができる折りたたみコーンを提供することができるようになった。即ち、工事現場等に設置するため、複数のロード用コーン（特に２ｍを超える巨大なもの）を一度に車両等に載せて運搬する必要がある場合であっても、嵩張ることなくコンパクトに畳んでから荷台に載せて運搬できるので、一度に大量に運ぶことができるようになった。
【図面の簡単な説明】
【００１２】
【図１】折りたたみコーンの構造、及び開閉機構を説明するための正面図、及び下面図である。
【図２】他の実施例に係る折りたたみコーンの正面図である。
【図３】折りたたみコーンの使用状態を表す図である。
【考案を実施するための形態】
【００１３】＜折りたたみコーンの構造、及び開閉機構＞
以下、本考案に係る折りたたみコーン１０について、図１〜図３を参照しつつ詳細に説明する。図１は、本考案に係る折りたたみコーンの構造、及び開閉機構を説明するための正面図、及び下面図である。図１（ａ）は、ロード用コーンとして使用できる状態を表す正面図であり、図１（ｂ）は、畳んだ状態を表す正面図であり、図１（ｃ）は、ロード用コーンとして使用できる状態を表す下面図である。
【００１４】  本考案に係る折りたたみコーン１０は、図１（ａ）に記載したように、軸方向に移動可能な支柱２０と、支柱２０の上部周囲に支柱２０に対して移動自在に設置した固定部２１と、固定部２１に回動自在に固定されている複数の第一補助柱３０と、支柱２０の下端に回動自在に固定されている複数の第二補助柱４０を備えている。実際には図１（ｃ）に記載したように、第一補助柱３０と第二補助柱４０をそれぞれ６本備えている。そして、第一補助柱３０と第二補助柱４０は、第一補助柱３０の下端が第二補助柱４０の中央付近にて回動自在に固定されている。そして、支柱２０の上端にはＬＥＤ７０が設置されている。
【００１５】  図２は、他の実施例に係る折りたたみコーンの正面図である。この実施例においては特に、高さ２ｍを超えるような大きなロード用コーンである場合においては、支柱２０を補強する必要があり、かかる場合の実施例である。図１に記載した第二補助柱３０は、本実施例においては、引張りアーム５０と下部パイプ６０とから構成されている。引張りアーム５０は、支柱２０の下端に回動自在に固定されており、下部パイプ６０は、第一補助柱３０の下端に回動自在に固定されており、かつ、引張りアーム５０の下端に回動自在に設置されている。そして、支柱２０の上端にはＬＥＤ７０が設置されている
【００１７】  本考案に係る折りたたみコーン１０の開閉機構は、図１（ｂ）に記載した如く、閉じた（畳んだ）状態から、支柱２０を下に押すことにより、支柱２０の下端に回動自在に固定されている複数の第二補助柱４０が開き、それに伴って、固定部２１に回動自在に固定されている複数の第一補助柱３０が開くことにより、図１（ａ）に記載した如く、開いた（使用できる）状態にすることができる。支柱２０は、図１（ｂ）に記載したように、上端が断面で見るとＴ字状になっており、図１（ｂ）の状態から下に押し下げた場合であっても、固定部２１と第一補助柱３０が固定されている位置よりも下がることは無い。即ち、図１（ａ）の状態よりも下に下がらないようになっている。
【００１８】  図２に記載した、他の実施例に係る折りたたみコーン１０の開閉機構は、閉じた（畳んだ）状態から、支柱２０を下に押すことにより、支柱２０の下端に回動自在に固定されている複数の引張りアーム５０が開き、そして、第一補助柱３０の下端に回動自在に固定されており、かつ、引張りアーム５０の下端に回動自在に設置された下部パイプ６０が開き、それらに伴って、固定部２１に回動自在に固定されている複数の第一補助柱３０が開くことにより、図１（ａ）に記載した如く、開いた（使用できる）状態にすることができる。要するに、単に、支柱２０を下に押すという極めて簡単な操作で、使用できる状態にすることができるし、支柱２０を上に引っ張るという極めて簡単な操作で、畳んだ状態にすることができる。
＜折りたたみコーンの使用方法＞
【００１８】  図３は、本考案に係る折りたたみコーン１０の使用状態を表す図である。本考案に係る折りたたみコーン１０は、図１（ｂ）に記載したような畳んだ状態から、図１（ａ）に記載した状態にするのに、支柱２０を下に押すという極めて簡単な操作で行うことができる。そして、図３のように、本考案に係る折りたたみコーン１０を取り外し可能な標識シート等により覆うことで、様々な表示をすることができるので、規制や区分けを目的として置かれる道路や工事現場、イベントやお祭りでの人の流れの整理、スポーツ競技での目印や選手の誘導、駐車場の整理や誘導、予約場所の確保、自動車教習所での練習用等の様々な場面に対応して使用することができる。
【００１９】＜折りたたみコーンの効果＞
本考案のポイントは、本考案によれば、単に支柱を軸方向に移動させる操作で開閉することができる折りたたみコーンを提供することができるようになった。従って、工事現場等に設置するため、複数のロード用コーン（特に２ｍを超える巨大なもの）を一度に車両等に載せて運搬する際であっても、コンパクトに折り畳んで運搬できるので嵩張ることなく、荷台に載せられるため、一度に大量に運ぶことができるようになった。
【００２０】＜折りたたみコーンの変更例＞
本考案に係る折りたたみコーン１０の構成は、上記実施形態の態様に何ら限定されるものではなく、支柱２０、固定部２１、第一補助柱３０、第二補助柱４０、引張りアーム５０、下部パイプ６０、ＬＥＤ７０等の構成を、本考案の趣旨を逸脱しない範囲で、必要に応じて適宜変更することができる。例えば、より大きい補強効果を得るために、第一補助柱３０、第二補助柱４０、引張りアーム５０、下部パイプ６０等の本数（図面では各６本づつ）をさらに増やしても良い。
【産業上の利用可能性】
【００２１】  本考案に係る折りたたみコーンは、上記の如く優れた効果を奏するものであるので、道路や工事現場等に設置するためのロード用コーンに関する分野において好適に用いることができる。
【符号の説明】
【００２２】１０・・折りたたみコーン
２０・・支柱
２１・・固定部
３０・・第一補助柱
４０・・第二補助柱
５０・・引張りアーム
６０・・下部パイプ
７０・・ＬＥＤ
【図１】
0003197936.tif 000003
【図２】
0003197936.tif 000004
【図３】
0003197936.tif 000005